【手続補正書】
【提出日】平成15年9月11日(2003.9.11)
【手続補正１】
【補正対象書類名】明細書
【補正対象項目名】発明の名称
【補正方法】変更
【補正の内容】
【発明の名称】ビデオレコーダの制御方法およびビデオレコーダ


【手続補正２】
【補正対象書類名】明細書
【補正対象項目名】特許請求の範囲
【補正方法】変更
【補正の内容】
【特許請求の範囲】
【請求項１】
ビデオレコーダを制御するための方法であって、
ａ） サテライト／ケーブルボックスの遠隔制御ユニット（７）上のキーを押圧するようにユーザを促し、
ｂ） 遠隔制御ユニット（７）から到来する信号をビデオレコーダの赤外線受信手段（１，２）を介して受信し、
ｃ） 到来した信号のデータコードを求め、
ｄ） 前記データコードをビデオレコーダのメモリ手段（５）に記憶する
ステップから成っている方法。
【請求項２】
ｅ） 前記データコードを前記メモリ手段（５）から検索し、
ｆ） 前記データコードに基づいている信号をビデオレコーダの赤外線送信手段（３）を介して前記サテライト／ケーブルボックスに送信する
ステップを更に含んでいる
請求項１記載の方法。
【請求項３】
前記ステップａ）がビデオレコーダに接続されているスクリーン上で実施されるようになっている
請求項１または２記載の方法。
【請求項４】
サテライト／ケーブルボックスの遠隔制御ユニット（７）上のキーを押圧するようにユーザを促すための手段と、
赤外線受信手段と、
赤外線受信手段によって受信された信号のデータコードを求めるための手段と、
前記データコードを記憶するためのメモリ手段（５）と
を備えているビデオレコーダ。
【請求項５】
前記メモリ手段（５）から検索されたデータコードに基づいて信号をサテライト／ケーブルボックスに送信することができる赤外線送信手段（３）を備えている
請求項４記載のビデオレコーダ。
【手続補正３】
【補正対象書類名】明細書
【補正対象項目名】０００１
【補正方法】変更
【補正の内容】
【０００１】
【発明の属する技術分野】
本発明は、ビデオレコーダを制御するための方法およびビデオレコーダに関する。


【手続補正４】
【補正対象書類名】明細書
【補正対象項目名】０００９
【補正方法】変更
【補正の内容】
【０００９】
【発明が解決しようとする課題】
従って本発明の課題は、単純な回路および簡便なユーザインタフェースを可能にする、好適な遠隔制御を実現する、ＶＣＲ，ＴＶまたはＧＥＭＳＴＡＲ Ｇコード／Ｓｈｏｗｖｉｅｗユニットのようなビデオレコーダを制御するための方法およびビデオレコーダを提供することである。


【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２３
【補正方法】変更
【補正の内容】
【００２３】
【発明の実施の形態】
図１に示されているように、ビデオカセットレコーダ（ＶＣＲ）、テレビジョンユニット、GEMSTARユニット等のビデオレコーダに組み込むことができる（ビルドイン）または遠隔制御ユニットの部分であってよい学習遠隔制御装置は、ホトダイオード回路１と、有利にはビデオレコーダの既存の部分であるＩＲモジュール２と、ＩＲ送信回路３と、マイクロコントローラ４と、同じくビデオレコーダの既存部分である、ＥＥＰＲＯＭのようなメモリ５とから成っている。


【手続補正１６】
【補正対象書類名】明細書
【補正対象項目名】００２５
【補正方法】変更
【補正の内容】
【００２５】
一般に、ＩＲコードの学習方法は次のステップを有していてよい：
ａ）到来信号がパルスタイプのものであるかまたは変調されたタイプのものであるかを検出し、
ｂ）到来信号がトグルビットを有しているかどうかを検出し、
ｃ）データコードを検出し、
ｄ）伝送フォーマットを検出し、
ｄ）学習されたコードおよびフォーマットを検査する。
この方法は有利には、ステップａで始まりかつステップｅで終了し、その際ステップｂ，ｃおよびｄの順序は変更可能である。通例、まず最初に、ホトダイオード回路がスイッチング手段の適当なセッティングによって活性化され、その結果まずパルス幅または搬送波周期が検出される。
搬送波周期は次の方法で検出される：
第１のロー信号が到来したとき、タイマーがスタートし、それは所定の期間Ｔ、有利には２５０μｓ、カウントダウンし、レジスタＷはロー信号に対して時間間隔ｔ毎に（ｔ＜Ｔ）、有利にはｔ＝８μｓ毎にインクリメントされ、かつ別のレジスタＡはハイ信号に対して時間間隔ｔ毎に、有利にはｔ＝８μｓ毎にインクリメントされ、ハイからローへの移行が生じるとき、両レジスタＷおよびＡはクリアされ、一方別のレジスタＣはインクリメントされ、その結果Ｔ＋ｔ０の時間間隔後（ｔ０≪Ｔ）、有利には（Ｔ＋ｔ０）＝２５５μｓ後、タイマー割り込みが発生されかつ搬送波の周期が次の式から計算される：
周期＝（Ｔ−（Ｗ＋Ａ）×ｔ）／Ｃ      ［近似的な単位において］
結果に従って、到来するＩＲ信号が搬送波のタイプのものであるかまたはパルスタイプのものであるかが決定される。それからスイッチング手段は、到来するＩＲ信号がパルスタイプのものとして識別されたときホトダイオード回路にセットされかつ到来するＩＲ信号が搬送波タイプのものとして識別されたときＩＲモジュールにセットされる。
この方法において有利にはメモリに記憶すべきデータは圧縮され、これによりメモリスペースは節約される。
データ圧縮を実現するために、高いタイミングと低いタイミングとから成る同じタイミングセットがグループ分けされ、その結果データの１セットのみが相応するＩＲタイミングデータポインタと一緒に記憶されることになる。換言すれば、同一のコードセット（タイミングセット）は１度だけしか記憶されないことになる。その理由は、それぞれのポインタが、セットが何回繰り返されなければならないかという情報を支持しているからである。
更に、この方法を具体化実現するためのユーザインタフェーズを有しており、その際学習プロシージャの段階、即ちステップａ〜ｅがＴＶスクリーン上に表示される。
次に図３および図４に基づいて具体的に説明する。
図３には、到来するＩＲ信号の搬送波周波数を捕捉検出するための方法が示されている。到来するＩＲコードを学習するために、ホトダイオード回路１がまず活性化される。スイッチング回路６が存在する場合、ホトダイオード回路１からの信号のみをマイクロコントローラ４に伝送することができるようにセットされる。ユーザが自分の遠隔制御ユニット７（ＲＣＵ）上のキーを押圧したとき、学習遠隔のソフトウエアが、ＩＲ信号がパルスタイプのものであるかまたは搬送波タイプのものであるかを検出する。同時に、パルス幅（パルスタイプのものであれば）または搬送波周期（搬送波のタイプのものであれば）がこのソフトウェアによって検出される。搬送波周期を検出する方法が図３に示されている。第１のロー信号が到来するとき、タイマーがスタートされる。タイマーは、２５０μｓの間、カウントダウンする。レジスタ、例えばＲＥＧ  Ｗはロー信号に対して８μｓ毎にインクリメントされ、かつ別のレジスタ、即ちＲＥＧ  Ａはハイ信号に対して８μｓ毎にインクリメントされる。ハイからローへの移行が生じるとき、両レジスタＷおよびＡはクリアされ、一方別のレジスタＣがインクリメントされる。２５５μｓ後、タイマー割り込みが生じる。そこで搬送波の周期が次の式から計算される：
周期＝（２５５μｓ−（Ｗ＋Ａ）×８μｓ ）／Ｃ
ＩＲ信号がパルスタイプのものであれば、ハイ信号およびロー信号を調査するソフトウェアがパルス幅の長さを検出する。次に、学習制御装置の動作について説明する。ＩＲ信号が搬送波タイプのものであるならば、その場合ソフトウェアがスイッチングユニット６をセットして、ＩＲモジュールによって捕捉された信号のみがマイクロプロセッサ４に通じるようにする。第１の実施例においてこのスイッチングユニットは、マイクロプロセッサ４それ自体によって実現されている。ＩＲ信号の搬送波はＩＲモジュールを通過することにおいてフィルタリングされるので、ＩＲ信号の包絡線のみが検出される。それからＩＲ信号コードのタイミングがマイクロプロセッサ４のＲＡＭ５に１２進データの形において記憶される。


【手続補正１７】
【補正対象書類名】明細書
【補正対象項目名】００３６
【補正方法】変更
【補正の内容】
【００３６】
段階２：トグルビットの検出（図４のｃ）
この段階では、ユーザは自分のリモートコントローラ７上の数字“１”キーを３回またはそれ以上押圧することを要求される。数字“１”データの第１のセットが、いずれかのビットがトグルされているかどうかを検査するために、数字“１”データの第２のセットと比較される。２つのビットより多くのビットが異なっているならば、得られたデータは、誤りと見なされ、従って破棄される。それから第１のセットおよび第２のセットが再捕捉される。データの２つのセットが２ビットまたはそれより少ししか異なっていなければ、トグルビットのロケーションおよびタイミングデータを確認するために、第３のセットが使用されることになる。第３のセットの何らかの誤りが検出されたならば（例えばトグルビットのロケーションが一致しない）、その場合段階２のプロシージャ全体が繰り返される。数字“１”信号を捕捉するためのスクリーンディスプレイは段階１と同じである。


【手続補正１８】
【補正対象書類名】明細書
【補正対象項目名】００３７
【補正方法】変更
【補正の内容】
【００３７】
段階３：数字の学習（図４のｄ）
ユーザＲＣＵの数字“１”の学習後、ＲＣＵ上の別の数字の学習が始まる。言葉“押圧”の後ろの数字（例えば“２”）が指示された数字を押圧するようにユーザを促すために閃光する（＝２を押圧して下さい）。数字信号を捕捉した後、閃光は停止しかつスクリーンの下部には“デコーディング…”という行が現れる。行“１２３４５６７８９０”は、丁度捕捉された数字まで、ハイライトになる。それから捕捉されたコードがＥＥＰＲＯＭに記憶される。


【手続補正１９】
【補正対象書類名】明細書
【補正対象項目名】００３８
【補正方法】変更
【補正の内容】
【００３８】
段階４：伝送フォーマットの学習（図４のｅ）
いくつかのＩＲ信号は特別なフォーマットを有し、そのうちのいくつかを以下に挙げらる：
１．‘ＥＮＴＥＲ’キーを有するモード。 ＥＮＴＥＲキーは、チャネルセッティングを固定するための数字の後ろで送出されるべきである。


【手続補正２０】
【補正対象書類名】明細書
【補正対象項目名】００４３
【補正方法】変更
【補正の内容】
【００４３】
段階５：学習されたコードの検査
この段階でユーザは、コードが正しく学習されたどうかを検査することができる。ユーザは、ユーザがＶＣＲを使用してＲＣＵを検査しようとする２つの数字を選択する。それからソフトウェアは記憶されたデータコードを再現しかつそれらを送信回路７を介して送出する（図１）。


【手続補正２１】
【補正対象書類名】明細書
【補正対象項目名】図面の簡単な説明
【補正方法】変更
【補正の内容】
【図面の簡単な説明】
【図１】学習遠隔制御装置の１例のブロック線図である。
【図２】学習遠隔制御装置別の例のブロック線図である。
【図３】搬送波周波数を検出するための方法を説明する線図である。
【図４】ＶＣＲ上のビルドイン学習遠隔制御用ユーザインタフェースを説明する図である。
【符号の説明】
１  ホトダイオード回路、  ２  ＩＲモジュール、  ３  ＩＲ送信回路、  ４  マイクロコントローラ、  ５  メモリ、  ６  スイッチング回路、  ７  遠隔制御ユニットまたはリモートコントローラ（ＲＣＵ）